(57)【特許請求の範囲】
【請求項１】
故障状態を返信信号に付加してくるアナログ型状態変化タイプの感知器と、故障状態を返信信号に付加してこないアナログ型状態変化無タイプの感知器を、同じ伝送線を介して接続した自火報受信機において、
感知器のそれぞれに対して、状態確認し、種別確認ポーリングにおいて確認した感知器の種別を判別しながら、
上記アナログ型状態変化タイプの感知器に対しては、該感知器が故障状態でなければ、上記種別確認ポーリングを実行するが、該感知器が故障状態であれば、故障検知ポーリングを実行する一方、
上記アナログ型状態変化無タイプの感知器に対しては、上記種別確認ポーリングを実行しながら、切り替えフラグに基づいて、種別確認ポーリングを故障検知ポーリングに置換して実行することを特徴とする自火報受信機。
【請求項２】
請求項１において、
上記種別確認ポーリングに置換して実行される上記故障検知ポーリングの実行頻度は、上記切り替えフラグによって予め変更設定できることを特徴とする自火報受信機。
【請求項３】
請求項２において、
上記故障検知ポーリングの実行頻度は、故障検知ポーリング、種別確認ポーリングのいずれか一方を、他方より優先させて実行する自火報受信機。
【請求項４】
請求項２または３において、
上記故障検知ポーリングの実行頻度は、施工中には種別確認ポーリングを優先させ、運用中には故障検知ポーリングを優先させて実行するように設定できることを特徴とする自火報受信機。
【請求項５】
請求項１〜４のいずれかにおいて、
起動時には、上記種別確認ポーリングを実行することで、すべての感知器の種別を確認していることを特徴とする自火報受信機。
【発明の詳細な説明】
【０００１】
【発明の属する技術分野】
本発明は、感知器の故障を検知する自火報受信機に関する。
【０００２】
【従来の技術】
従来、感知器には、故障状態になるとその状態を自発的に送信するアドレス型割り込みタイプと、故障状態になった旨を返信信号に付加して送信するアナログ型状態変化タイプの２種類があり、それぞれに故障を検知する方法があった。
【０００３】
図４は、アナログ型状態変化タイプの故障、種別の検知フローである。状態を確認して（Ｓ１００）、故障が発生していないと種別ポーリングを行い、故障が発生していると故障ポーリングを実行する（Ｓ１０１〜Ｓ１０３）。
【０００４】
図５は、アナログ型状態変化タイプの故障、種別検知のシーケンス図である。種別ポーリングでは、受信機は、状態確認に対して変化なしの返信があると（１００）、種別切替（１０１）、種別確認（１０２）を行ってから、通常切替を行う（１０３）。故障ポーリングでは、状態確認に対して変化ありの返信があると（２００）、故障切替（２０１）、故障確認（２０２）を行ってから、通常切替を行う（２０３）。
【０００５】
【発明が解決しようとする課題】
ところが、上記従来の自火報受信機では、故障時に返信してこない感知器に対しての故障状態を検知することができないため、故障時に故障状態になった旨を返信信号に付加してこないアナログ型状態変化無タイプの感知器の故障検知ができなかった。
【０００６】
本発明は、このような事情を考慮してなされたものであり、故障時に故障状態になった旨を返信信号に付加してこないアナログ型状態変化無タイプの感知器の故障検知ができる自火報受信機を提供することを目的としている。
【０００７】
【課題を解決するための手段】
上記目的を達成するために、本発明の請求項１では、故障状態を返信信号に付加してくるアナログ型状態変化タイプの感知器と、故障状態を返信信号に付加してこないアナログ型状態変化無タイプの感知器を、同じ伝送線を介して接続した自火報受信機において、
感知器のそれぞれに対して、状態確認し、種別確認ポーリングにおいて確認した感知器の種別を判別しながら、上記アナログ型状態変化タイプの感知器に対しては、該感知器が故障状態でなければ、上記種別確認ポーリングを実行するが、該感知器が故障状態であれば、故障検知ポーリングを実行する一方、上記アナログ型状態変化無タイプの感知器に対しては、上記種別確認ポーリングを実行しながら、切り替えフラグに基づいて、種別確認ポーリングを故障検知ポーリングに置換して実行することを特徴とする。
【０００８】
請求項２では、請求項１において、上記種別確認ポーリングに置換して実行される上記故障検知ポーリングの実行頻度は、上記切り替えフラグによって予め変更設定できることを特徴とする。
請求項３では、請求項２において、上記故障検知ポーリングの実行頻度を、故障検知ポーリング、種別確認ポーリングのいずれか一方を、他方より優先させて実行する。
請求項４では、請求項２または３において、上記故障検知ポーリングの実行頻度は、施工中には種別確認ポーリングを優先させ、運用中には故障検知ポーリングを優先させて実行するように設定できることを特徴とする。
請求項５では、請求項１〜４のいずれかにおいて、自火報受信機は、起動時には、種別確認ポーリングを実行することで、すべての感知器の種別を確認することを特徴としている。
【０００９】
【発明の実施の形態】
以下に、本発明の実施の形態について、図面とともに説明する。図１は、自火報受信機の動作の一例を示したフローチャート、図２は自火報システムの構成の一例を示した図である。
【００１０】
図２に示すように、自火報受信機１は、感知器２Ａ，２Ｂを、２本の伝送線Ｌを介して接続している。自火報受信機１は、感知器２Ａ，２Ｂが作動すると、火災警報を出力するとともに、連動テーブルを参照して、作動した感知器２に対応する、防排煙機器（不図示）などの連動機器を連動制御する。
【００１１】
ここでは、感知器として、故障状態になった旨を返信信号に付加するアナログ型状態変化タイプの感知器２Ａと、故障時に故障状態になった旨を返信信号に付加してこないアナログ型状態変化無タイプの感知器２Ｂを接続している。
【００１２】
本発明では、感知器２Ａ、２Ｂの種別を判別して、故障発生時に感知器２Ｂに対しては、切り替えフラグに基づいて、故障検知ポーリングと種別確認ポーリングとを強制的に実行する。これによって、アナログ型状態変化無タイプの感知器Ｂでも故障が検知できる。
【００１３】
図１に示すように、状態を確認して（Ｓ１）、感知器の種別が変化無タイプでない場合は、故障が発生していないと種別ポーリングを行い、返信に変化あり信号があり、故障が発生していると故障ポーリングを行う（Ｓ２〜Ｓ５）。
【００１４】
一方、感知器の種別が変化無タイプであれば、変化なしの返信であっても、故障ポーリングと種別ポーリングを、切り替えフラグによって強制的に切り替えて実行する（Ｓ２、Ｓ６〜Ｓ８）。このため、受信機１は、起動時にすべての感知器２Ａ，２Ｂの種別の確認を行なって、通常状態になっておき、その後は、前回連続した種別を基に、フローにしたがって動作する。
【００１５】
図３は、故障、種別検知のシーケンス図である。ここでは、故障ポーリングと種別ポーリングとを連続して強制的に実行している。故障ポーリングでは、状態確認に対して変化なしの返信があると（▲１▼）、故障切替（▲２▼）、故障確認（▲３▼）を行って、通常切替を行う（▲４▼）。種別ポーリングでは、状態確認に対して変化なしの返信があると（▲５▼）、種別切替（▲６▼）、種別確認（▲７▼）を行って、通常切替を行う（▲８▼）。
【００１６】
また、本発明では、故障検知ポーリングと種別確認ポーリングのうち、いずれかを優先させて実行する。このため、故障検知ポーリングと種別確認ポーリングの各々の実行頻度を可変にしている。具体的には、施工中は種別確認ポーリングを優先させ、運用中は故障検知ポーリングを優先させて実行する。例えば、施工中は、重要な種別データが優先して検知できるように、種別、種別、故障のように切り替えフラグを操作してポーリングを実行し、運用中は、重要な故障データが優先して検知できるように、故障、故障、種別のように切り替えフラグを操作してポーリングを実行する。これによって、状況に応じた検知状態が選択できる。
【００１７】
また、感知器の種別は、種別確認ポーリングにおいて確認した種別に基づいて判別する。したがって、感知器が交換された場合でも、以降、故障、種別の確認ができる。
【００１８】
【発明の効果】
以上の説明からも理解できるように、本発明の請求項１〜請求項５の各々に記載の自火報受信機によれば、アドレス割り込みタイプや、アナログ状態変化タイプ以外に、アナログ状態変化無タイプの感知器も、故障、種別の確認ができる。また、感知器の交換があった場合でも、継続して、種別、故障の確認ができる。
【００１９】
特に、請求項２〜４では、状況に応じて、種別、故障の確認ができる。
【図面の簡単な説明】
【図１】本発明の自火報受信機の動作の一例を示すフローチャートである。
【図２】自火報システムの構成の一例を示す図である。
【図３】本発明の自火報受信機の動作の一例を示すシーケンス図である。
【図４】従来の自火報受信機の動作の一例を示すフローチャートである。
【図５】従来の自火報受信機の動作の一例を示すシーケンス図である。
【符号の説明】
１    自火報受信機
２Ａ  アナログ型状態変化タイプ感知器
２Ｂ  アナログ型状態変化無タイプ感知器
【図１】
0003682579.tif 000002
【図２】
0003682579.tif 000003
【図３】
0003682579.tif 000004
【図４】
0003682579.tif 000005
【図５】
0003682579.tif 000006